(57)【要約】【課題】  従来の足枕は、保冷剤と、断熱材を介して設けた金属とで構成するので、金属の特徴である「接触時に冷気を付与し、またこの接触時に滞留した暖気を拡散可能」な物性を十分に利用していないものと考えられる。また保冷剤の取扱いに手間を要し、割りと厄介なものである。【構成】  本発明は血行促進に役立つ高さと防滑特性を備えたベース部と、ベース部に設けた、接触時に冷気を付与し、また接触時に滞留した暖気を拡散可能な特性を備えた金属、陶器等でなる冷気付与部と、で構成した冷気付与を意図した足枕である。簡単な構造で冷気付与を意図した足枕として最高の機能を発揮できる。【選択図】          図９
2006055220.tif 000002
【特許請求の範囲】
【請求項１】
少なくとも血行促進に役立つ高さと防滑特性を備えたベース部と、このベース部に設けた、接触時に冷気を付与し、またこの接触時に滞留した暖気を拡散可能な特性を備えた金属、陶器等でなる冷気付与部と、で構成した冷気付与を意図した足枕。
【請求項２】
接触時に冷気を付与し、またこの接触時に滞留した暖気を拡散可能な特性を備えた金属、陶器等でなる少なくとも血行促進に役立つ高さを有する脚部を備えた略偏平山形状の冷気付与部と、この冷気付与部の脚部にゴム、樹脂等の防滑カバー部と、で構成した冷気付与を意図した足枕。
【請求項３】
請求項１又は請求項２に記載の少なくとも血行促進に役立つ高さは、当該足枕をふとん、床、畳等に載置した状態で、この血行促進に役立つ高さが確保される構成とした冷気付与を意図した足枕。
【請求項４】
請求項１又は請求項２に記載の冷気付与部に指圧用の凹凸を設ける構成とした冷気付与を意図した足枕。
【請求項５】
請求項１又は請求項２に記載の冷気付与部に磁石、振動手段、又はマイナスイオン発生手段等の機能付与機構を設ける構成とした冷気付与を意図した足枕。
【発明の詳細な説明】
【技術分野】
【０００１】
本発明は、冷気付与を意図した足枕に関する。
【背景技術】
【０００２】
従来、この種の冷気付与を意図した足枕としては、市販されているものは見当たらない。しかし、この冷気付与を意図した足枕の効能は、体験したものであればその良さがわかるので、その一例を説明する。この冷気付与を意図した足枕は、夏季等の如く、暑くて寝苦しい状態において重宝されるものであり、具体的には、足を優しく冷やし、心地よい睡眠が楽しめること、またこの快感を利用して疲労回復が図れること等の実益がある。尚、特例として、病気の治療では、水枕が利用されるが、その状況では、本発明の冷気付与を意図した足枕が利用できるケースもあり得る。
【０００３】
そして、この種の冷気付与を意図した足枕の先行文献としては、次に挙げる文献(１)〜(３)とがあるので、その概要を説明する。：  文献(１)は、特開２０００−１１８５７３であり、発明の名称は「保冷容器」である。この発明は、人や動物が肌で触れて冷感を味わうための保冷容器であって、この保冷容器は、人が座ったり寝たりした姿勢で、その肌で触れやすいように、座布団のような偏平な形状を有する保冷剤の収納部を備えた容器本体と、この容器本体に設けた穴のあいた断熱材と、この穴のあいた断熱材の上部に置いた金属を用いた上部外面材とで構成し、この収納部に収めた保冷剤の低温が断熱材の穴を通じて上部外面材に伝わる構造である。従って、この保冷容器に設けた保冷されている上部外面材に、人や動物が座ったり寝たりした姿勢で冷やされて体温の低下に役立ち、気持ちがよく、しかも快適な状態での生活が可能となることが特徴である。：  文献(２)は、特開平１１−８９６７７号であり、発明の名称は「足枕」である。この発明の概要は、芯材をカバーで被覆した足枕において、足を載せるカバーの下に保冷材、又は保温材を納める袋を構成したことを特徴とする足枕である。従って、湿布効果も得られるために、足の鬱血を取り除き得るばかりでなく、ひんやりと快適に使用できるとともに、疲労を早期に回復し得る足枕を提供できる特徴がある。：  文献(３)は、ＷＯ０１／０１５５７３であり、発明の名称「冷却寝具、冷却座布団、冷却マット、冷却椅子、冷却服、並びに冷却靴である。この冷却靴の概要は、足裏が接する部分近傍に形成された冷却流通路と、この冷却流通路に空気を流入させる流入口、及びこの冷却流通路から空気を流出させる流出口と、この流入口側又は流出口側のいずれかに設けられた電動ファンと、この電動ファンと冷却流通路との間に設けられた接続流通路とを有し、この電動ファンにより、体温よりも低い温度の周囲空気を冷却流通路より足裏に流通し、この足裏との温度勾配を大きくし、足から発せられる熱の放熱により体温の低下を図る冷却靴である。従って、部屋全体の温度を下げるのではなく、人の体表からごく近い部分に、部屋と同じ温度の空気の層を形成して体表付近の温度勾配を強制的に大きくし、熱の放出量を多くし、涼しさを体感できるようにすることを特徴とする。
【０００４】
【特許文献１】特開２０００−１１８５７３
【特許文献２】特開平１１−８９６７７号
【特許文献３】ＷＯ０１／０１５５７３
【発明の開示】
【発明が解決しようとする課題】
【０００５】
前記文献(１)は、断熱材を介して金属を設けた構成であるので、金属の特徴である「接触時に冷気を付与し、またこの接触時に滞留した暖気を拡散可能」な物性を十分に利用していない欠点があり、優れた物性を有効利用していないものと考えられる。また保冷剤の取扱い、即ち、この保冷剤の充填・取替え等に手間を要し、煩雑なものである。
【０００６】
また文献(２)は、この発明も、収納部に保冷材を収納する構成であり、前記文献(１)と同じ問題点を抱えている。またこの発明は、足のくるぶしから爪先までの広いエリア-を対象とすることから、場合により違和感を与えることが考えられので、汎用性に欠けることがあり得る。
【０００７】
次に文献（３）は、発明の名称の如く、冷却寝具、冷却座布団、冷却マット、冷却椅子、冷却服、並びに冷却靴であり、足枕とは基本的な構成の違いがあって、転用できない構造である。尚、文献として挙げた理由は、人体を冷却するとの大きな流れの中での一例である。
【課題を解決するための手段】
【０００８】
請求項１の発明は、簡単な構造であっても、冷気付与を意図した足枕として最高の機能を発揮できる冷気付与を意図した足枕の提供を意図すること、又は金属・陶器等の物性を最大限に利用すること、又はこの金属、陶器等の欠点（重さと硬さ）を回避できる構造の冷気付与を意図した足枕を提供すること等を意図する。また経済的で、簡易に持ち運びができる構造とし、汎用性と使用の簡便性を図ることを意図する。
【０００９】
請求項１は、少なくとも血行促進に役立つ高さと防滑特性を備えたベース部と、このベース部に設けた、接触時に冷気を付与し、またこの接触時に滞留した暖気を(非接触時に)拡散可能な特性を備えた金属、陶器等でなる冷気付与部と、で構成した冷気付与を意図した足枕である。
【００１０】
請求項２の発明は、極めて簡単な構造であっても、冷気付与を意図した足枕として最高の機能を発揮できる構造の冷気付与を意図した足枕の提供と、又は金属・陶器等の物性を最大限に利用すること、又はこの金属、陶器等の欠点（重さと硬さ）を回避できる構造の冷気付与を意図した足枕を提供とを意図する。また経済的で、簡易に持ち運びができる構造（形態に最適な構造）とし、汎用性と使用の簡便性を図ることを意図する。
【００１１】
請求項２は、接触時に冷気を付与し、またこの接触時に滞留した暖気を(非接触時に)拡散可能な特性を備えた金属、陶器等でなる少なくとも血行促進に役立つ高さを有する脚部を備えた略偏平山形状の冷気付与部と、この冷気付与部の脚部にゴム、樹脂等の防滑カバー部と、で構成した冷気付与を意図した足枕である。
【００１２】
請求項３の発明は、請求項１又は請求項２の目的を達成し、またこの目的を達成するのに最適な高さを確保できる冷気付与を意図した足枕の提供を意図する。
【００１３】
請求項３は、請求項１又は請求項２に記載の少なくとも血行促進に役立つ高さは、当該足枕をふとん、床、畳等に載置した状態で、この血行促進に役立つ高さが確保される構成とした冷気付与を意図した足枕である。
【００１４】
請求項４の発明は、請求項１又は請求項２の目的を達成し、またこの目的に指圧効果が発揮できる冷気付与を意図した足枕の提供を意図する。
【００１５】
請求項４は、請求項１又は請求項２に記載の冷気付与部に指圧用の凹凸を設ける構成とした冷気付与を意図した足枕である。
【００１６】
請求項５の発明は、請求項１又は請求項２の目的を達成し、またこの目的にマイナスイオン効果が発揮できる冷気付与を意図した足枕の提供を意図する。
【００１７】
請求項５は、請求項１又は請求項２に記載の冷気付与部に磁石、振動手段、又はマイナスイオン発生手段等の機能付与機構を設ける構成とした冷気付与を意図した足枕である。
【発明の効果】
【００１８】
請求項１の発明は、少なくとも血行促進に役立つ高さと防滑特性を備えたベース部と、ベース部に設けた、接触時に冷気を付与し、また接触時に滞留した暖気を拡散可能な特性を備えた金属、陶器等でなる冷気付与部と、で構成した冷気付与を意図した足枕である。
【００１９】
従って、請求項１は、簡単な構造であっても、冷気付与を意図した足枕として最高の機能を発揮できる冷気付与を意図した足枕を提供できること、又は金属・陶器等の物性を最大限に利用すること、又はこの金属、陶器等の欠点（重さと硬さ）を回避できる構造の冷気付与を意図した足枕を提供できること等の特徴がある。また経済的で、簡易に持ち運びができる構造とし、汎用性と使用の簡便性が図れる実益がある。
【００２０】
請求項２の発明は、接触時に冷気を付与し、また接触時に滞留した暖気を拡散可能な特性を備えた金属、陶器等でなる少なくとも血行促進に役立つ高さを有する脚部を備えた略偏平山形状の冷気付与部と、冷気付与部の脚部にゴム、樹脂等の防滑カバー部と、で構成した冷気付与を意図した足枕である。
【００２１】
従って、請求項２は、極めて簡単な構造であっても、冷気付与を意図した足枕として最高の機能を発揮できる構造の冷気付与を意図した足枕の提供と、又は金属・陶器等の物性を最大限に利用できること、又はこの金属、陶器等の欠点（重さと硬さ）を回避できる構造の冷気付与を意図した足枕を提供できること等の特徴がある。また経済的で、簡易に持ち運びができる構造（形態に最適な構造）とし、汎用性と使用の簡便性が図れる実益がある。
【００２２】
請求項３の発明は、請求項１又は請求項２に記載の少なくとも血行促進に役立つ高さは、足枕をふとん、床、畳等に載置した状態で、血行促進に役立つ高さが確保される構成とした冷気付与を意図した足枕である。
【００２３】
従って、請求項３は、請求項１又は請求項２の目的を達成できること、またこの目的を達成するのに最適な高さを確保できる冷気付与を意図した足枕を提供できること等の特徴である。
【００２４】
請求項４の発明は、請求項１又は請求項２に記載の冷気付与部に指圧用の凹凸を設ける構成とした冷気付与を意図した足枕である。
【００２５】
従って、請求項４は、請求項１又は請求項２の目的を達成できること、またこの目的に指圧効果が発揮できる冷気付与を意図した足枕を提供できること等の特徴である。
【００２６】
請求項５の発明は、請求項１又は請求項２に記載の冷気付与部に磁石、振動手段、又はマイナスイオン発生手段等の機能付与機構を設ける構成とした冷気付与を意図した足枕である。
【００２７】
従って、請求項５は、請求項１又は請求項２の目的を達成できること、またこの目的にマイナスイオン効果が発揮できる冷気付与を意図した足枕を提供できること等の特徴である。
【発明を実施するための最良の形態】
【００２８】
以下、本発明の実施の態様（形態）を説明する。
【００２９】
図面の説明をする。図１は板状の冷気付与部と板状のベース部とで構成した第一の例を示した一部を切欠いた斜視図で、図１−１は第一の例の拡大断面図で、図１−２は第一の例の他の例を示した拡大断面図である。また図２は三角錐状の冷気付与部と三角板状のベース部とで構成した第二の例を示した斜視図で、図２−１は第二の例の拡大断面図である。次に図３は半截円錐状の冷気付与部と三角板状のベース部とで構成した第三の例を示した斜視図である。図４は板状の冷気付与部と板状のベース部とで構成した第四の例を示した斜視図である。また図５は板状の冷気付与部と板状のベース部とで構成し、この冷気付与部の表面に指圧用の凹凸を構成した第五の例を示した斜視図である。図６は板状の冷気付与部と箱形のベース部とで構成した第六の例を示した斜視図で、図６−１は箱形のベース部に複数の透孔を開設した第六の例の一例を、また図６−２は箱形のベース部に保冷剤（保温材）を出入れ自在にセットした第六の例の一例をそれぞれ示す断面図である。図７は略逆凹形状の冷気付与部と、この冷気付与部の下端縁部に被嵌した緩衝部を兼ねたベース部とで構成した第七の例を示した一部を切欠いた斜視図で、図７−１は第七の例の拡大断面図である。また図８は各例において磁石又は磁気生成手段を設けた第八の例を示した斜視図である。図９は本発明の使用の一例を示した模式図である。さらに図１０は各例において冷気付与部に模様、図柄等の装飾手段を施した一例を示した斜視図である。
【００３０】
以下、本発明の一例を説明する。その基本な構造は、冷気付与部１とベース部２とで構成する。そして、この冷気付与部１は、接触時に少なくとも足Ｈ１に冷気を付与し、また接触時に滞留した暖気を拡散可能な特性を備えた金属、陶器等で構成する。またベース部２は、ふとん、床、又は畳等にセットした状態で、少なくとも血行促進に役立つ高さ（以下、高さとする）と防滑特性を備えた構成とする。この基本な構造を踏襲する限り本発明の範疇であるが、代表的な各例を図示し、この図面を基に説明する。尚、このベース部２の高さは、当該ベース部２の高さのみの場合と、また一枚又は二枚の冷気付与部１の厚みを含めた高さの場合もあり得る。そして、この冷気付与を意図した足枕（足枕とする）としての使用は、例えば、冷房の雰囲気下において、蓄冷しての使用と、蓄冷後に冷房終了しての使用、また蓄冷後の他の箇所での使用とかが理想である。尚、図示しないが蓄冷を図る他の手段及び／又はこの蓄冷を急ぐ場合には、例えば、冷蔵庫、冷凍庫、冷水等の蓄冷手段で行う場合もあり得る。また金属製の例では、銅製では殺菌の効果、アルミでは軽量化、再利用の容易化の効果があり、また鋳物では安定性、重量感の効果があり、それぞれの特徴を利用して製造及び／又は使用する。また陶器製では肌へのいたわり、土への馴染みと、安定性、質感、重量感の効果が考えられる。
【００３１】
図１、図１−１の例では、板状（板の厚さは限定されない例である）の冷気付与部１と板状（必要な高さ）のベース部２とで構成した第一の例を示している。この例は、軽量化、収納・製造・管理等の容易化、又は携帯の利便性、低コスト化等を目標とする。そして、第一の例では、形状必要により人Ｈの全ての部位への使用が可能となり、本来の目的である冷気（保温）の付与の他に、治療、健康増進等への付与を意図する（他の各例の場合も同じであり、これらの相乗効果が期待できる）。尚、図１−２は冷気付与部１でベース部２を挟んだ例であって、この冷気付与部１の冷気の蓄積及び／又は放熱（暖気を拡散）の効果と、また蓄熱の向上、場合によりベース部２の保護等を意図する。そして、この例では、ベース部２の高さは、当該ベース部２の高さと、一枚又は二枚の冷気付与部１の厚みを含めた高さが原則である。また図示しないが、冷房の雰囲気下等において、足枕、又は足載せ台等としての利用もあり得る（他の例もあり得る）。
【００３２】
図２は三角錐状の冷気付与部１と三角板状のベース部２とで構成した第二の例を示した斜視図で、図２−１は第二の例の拡大断面図である。この例では、ベース部２の高さは、当該ベース部２の高さのみとするが、場合により、囲繞した少なくとも一枚の冷気付与部１の厚みを含めた高さとする場合もあり得る（ベース部２を冷気付与部１で囲繞する例であり、図示しない。他の例もあり得る）。そして、この例では、足Ｈ１の安定性、容易化、通気性等を意図し、一個又は数個の凹部３を設ける一例を示した。尚、ベース部２に弾性を付与し、足枕に弾性を付与することも可能であり、人Ｈへの優しい接触を図ることができる。また適度の高さを確保し、本来の目的である冷気の付与の他に、治療、健康増進、指圧効果、血行促進等への付与を意図する。
【００３３】
図３は半截円錐状の冷気付与部１と三角板状のベース部２とで構成した第三の例を示した斜視図である。前述の図２等の例に順ずる。尚、全体として、半截円錐状を利用し、頭用のＨ２の枕、指圧用の各部位の当て具（他の例もあり得る。例えば、図２の例である）等としての活用もあり得る。
【００３４】
図４は板状の冷気付与部と板状のベース部とで構成した第四の例を示した斜視図である。前述の図１等の例に順ずる。尚、本来の目的である冷気の付与の他に、全体として、凹部３０を利用し、頭用のＨ２の枕、指圧用の各部位の当て具等としての活用もあり得る。
【００３５】
図５は板状の冷気付与部１と板状のベース部２とで構成し、この冷気付与部１の表面に指圧用の凹凸４を構成した第五の例を示した斜視図である。尚、本来の目的である冷気の付与の他に、全体として、凹凸４を利用し、指圧用の各部位の当て具等としての活用もあり得る。殊に足載せの例は有効である。
【００３６】
図６は板状の冷気付与部１と箱形のベース部２とで構成した第六の例を示した斜視図で、図６−１は箱形のベース部２に複数の透孔５を開設した第六の例の一例を、また図６−２は箱形のベース部に保冷剤６（保温材）を出入れ自在にセットした第六の例の一例をそれぞれ示す断面図である。図６−１はベース部２に複数の透孔５を利用し、外気を箱内に取入れ、例えば、冷気付与部１の暖気及び／又は臭気等の拡散を図る。図中６０は開口を示す。この開口６０は袋状の保冷剤６の出入れ口である。
【００３７】
図７は略逆凹形状の冷気付与部１と、この冷気付与部１の下端縁部１００に被嵌した緩衝部を兼ねたベース部２とで構成した第七の例を示した一部を切欠いた斜視図で、図７−１は第七の例の拡大断面図である。この例では、冷気付与部１で高さを確保する。また冷気付与部１が直接外気に接触することで、例えば、冷気付与部１の暖気及び／又は臭気等の拡散を図る。この足枕では形状の特性を利用し、例えば、積み重ねが可能であり、収容の便利性、携帯の容易化等が図れる。また形状と構造等よりして製造の容易化（ワンプレスでの製造等）、低コスト化等が図れる。またこの例には、前述した各例、凹部３、凹凸４、透孔５、又は高さの関係、或いは後述する磁石、マイナスイオン発生手段等の採用が可能であることは勿論である。またこの例では、形状、材料等の面を考慮した場合には、ベース部２をなくすことも可能であり、前述の製造の容易化、低コスト化等が図れること、また携帯性の向上と、積み重ねが可能であり、収容の便利性、携帯の容易化等が図れること等の実益がある。
【００３８】
図８は各例において磁石又は磁気生成手段７（磁石とする）を設けた第八の例を示した斜視図である。この例では、前述した本来の目的である冷気の付与の他に、治療、健康増進、磁気効果、血行促進等への付与を意図する。
【００３９】
尚、マイナスイオン発生手段に関しては、図示しないが、この種の各種手段を本発明の各例に採用できることは勿論であり、その効果は従来例と同様である。
【００４０】
図１０は各例において冷気付与部１に模様、図柄等の装飾手段８、また図示しないが広告、景色、マスコット、写真（足枕は原則として除く）等を施した一例を示したものであり、例えば、前述した本来の目的である冷気の付与の他に、嗜好と宣伝効果、趣味、癒し等図ることを意図する。
【図面の簡単な説明】
【００４１】
【図１】図１は板状の冷気付与部と板状のベース部とで構成した第一の例を示した一部を切欠いた斜視図
【図１−１】図１−１は第一の例の拡大断面図
【図１−２】図１−２は第一の例の他の例を示した拡大断面図
【図２】図２は三角錐状の冷気付与部と三角板状のベース部とで構成した第二の例を示した斜視図
【図２−１】図２−１は第二の例の拡大断面図
【図３】図３は半截円錐状の冷気付与部と三角板状のベース部とで構成した第三の例を示した斜視図
【図４】図４は板状の冷気付与部と板状のベース部とで構成した第四の例を示した斜視図
【図５】図５は板状の冷気付与部と板状のベース部とで構成し、この冷気付与部の表面に指圧用の凹凸を構成した第五の例を示した斜視図
【図６】図６は板状の冷気付与部と箱形のベース部とで構成した第六の例を示した斜視図
【図６−１】図６−１は箱形のベース部に複数の透孔を開設した第六の例の一例の断面図
【図６−２】図６−２は箱形のベース部に保冷剤（保温材）を出入れ自在にセットした第六の例の断面図
【図７】図７は略逆凹形状の冷気付与部と、この冷気付与部の下端縁部に被嵌した緩衝部を兼ねたベース部とで構成した第七の例を示した一部を切欠いた斜視図
【図７−１】図７−１は第七の例の拡大断面図
【図８】図８は各例において磁石又は磁気生成手段を設けた第八の例を示した斜視図
【図９】図９は本発明の使用の一例を示した模式図
【図１０】図１０は各例において冷気付与部に模様、図柄等の装飾手段を施した一例を示した斜視図
【符号の説明】
【００４２】
１             冷気付与部
１００         下端縁部
２             ベース部
３             凹部
３０           凹部
４             凹凸
５             透孔
６             保冷剤
６０           開口
７             磁気生成手段
８             装飾手段
Ｈ             人
Ｈ１           足
Ｈ２           頭
【図１】
2006055220.tif 000003
【図１−１】
2006055220.tif 000004
【図１−２】
2006055220.tif 000005
【図２】
2006055220.tif 000006
【図２−１】
2006055220.tif 000007
【図３】
2006055220.tif 000008
【図４】
2006055220.tif 000009
【図５】
2006055220.tif 000010
【図６】
2006055220.tif 000011
【図６−１】
2006055220.tif 000012
【図６−２】
2006055220.tif 000013
【図７】
2006055220.tif 000014
【図７−１】
2006055220.tif 000015
【図８】
2006055220.tif 000016
【図９】
2006055220.tif 000017
【図１０】
2006055220.tif 000018